【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
（ａ）作動流体を吸収剤に吸収して、吸収剤と作動流体との混合物を形成するための吸収器と、
（ｂ）前記吸収剤と作動流体との混合物を前記吸収器から受容および予熱するための前記吸収器と流体連通して配置された第１の熱交換器と、
（ｃ）前記吸収剤と作動流体との混合物を、前記吸収器から、前記第１の熱交換器へポンピングするための液体ポンプと、
（ｄ）前記第１の熱交換器から予熱混合物を受容し、追加の熱を前記予備混合物に移すことによって作動流体の高圧蒸気を放出するための前記第１の熱交換器と流体連通して配置された発生器と、
（ｅ）高圧作動流体から機械仕事を生じさせるために、前記発生器と流体連通して配置された機械仕事を生じさせるためのデバイスと
を含み、
前記吸収剤がイオン液体を含むことを特徴とする吸収パワーサイクルシステム。
【請求項２】
（ａ）前記機械仕事を生じさせるためのデバイスから出る前記高圧作動流体を凝縮する凝縮器と、
（ｂ）圧力を減じて、前記作動流体を部分的に蒸発させるための膨張デバイスと、
（ｃ）前記作動流体を完全に蒸発させて、冷却を行うための蒸発器と
をさらに含むことを特徴とする請求項１に記載の吸収パワーサイクルシステム。
【請求項３】
前記イオン液体が、カチオンとアニオンとを含み、前記カチオンが、リチウム、ナトリウム、カリウム、セシウム、および以下の式
【化１】
2012512991.tif 000001
【化２】
2012512991.tif 000002
【化３】
2012512991.tif 000003
からなる群から選択され、
式中、Ｒ1、Ｒ2、Ｒ3、Ｒ4、Ｒ5、Ｒ6、Ｒ12およびＲ13は、
（ｉ）Ｈ、
（ｉｉ）ハロゲン、
（ｉｉｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（ｉｖ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ25の直鎖状、分枝状または環状のアルカンまたはアルケン、
（ｖ）Ｃ6〜Ｃ20非置換アリール、またはＯ、Ｎ、ＳｉおよびＳからなる群から独立して選択される１〜３個のヘテロ原子を有するＣ3〜Ｃ25非置換ヘテロアリール、および
（ｖｉ）Ｃ6〜Ｃ25置換アリール、またはＯ、Ｎ、ＳｉおよびＳからなる群から独立して選択される１〜３個のヘテロ原子を有するＣ3〜Ｃ25置換ヘテロアリールであって、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（２）ＯＨ、
（３）ＮＨ2および
（４）ＳＨ
からなる群から独立して選択される１〜３個の置換基を有する置換アリールまたは置換ヘテロアリール
からなる群から独立して選択され、
Ｒ7、Ｒ8、Ｒ9およびＲ10は、
（ｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（ｉｉ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ25の直鎖状、分枝状または環状のアルカンまたはアルケン、
（ｉｉｉ）Ｃ6〜Ｃ25非置換アリール、またはＯ、Ｎ、ＳｉおよびＳからなる群から独立して選択される１〜３個のヘテロ原子を有するＣ3〜Ｃ25非置換ヘテロアリール、および
（ｉｖ）Ｃ6〜Ｃ25置換アリール、またはＯ、Ｎ、ＳｉおよびＳからなる群から独立して選択される１〜３個のヘテロ原子を有するＣ3〜Ｃ25置換ヘテロアリールであって、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（２）ＯＨ、
（３）ＮＨ2および
（４）ＳＨ
からなる群から独立して選択される１〜３個の置換基を有する置換アリールまたは置換ヘテロアリール
からなる群から独立して選択され、
任意選択的に、Ｒ1、Ｒ2、Ｒ3、Ｒ4、Ｒ5、Ｒ6、Ｒ7、Ｒ8、Ｒ9およびＲ10の少なくとも２つが一緒になって、環状または二環式のアルカニルまたはアルケニル基を形成することができ、
前記アニオンが、
［ＣＨ3ＣＯ2］-、［ＨＳＯ4］-、［ＣＨ3ＯＳＯ3］-、［Ｃ2Ｈ5ＯＳＯ3］-、［ＡｌＣｌ4］-、［ＣＯ3］2-、［ＨＣＯ3］-、［ＮＯ2］-、［ＮＯ3］-、［ＳＯ4］2-、［ＰＯ3］3-、［ＨＰＯ3］2-、［Ｈ2ＰＯ3］1-、［ＰＯ4］3-、［ＨＰＯ4］2-、［Ｈ2ＰＯ4］-、［ＨＳＯ3］-、［ＣｕＣｌ2］-、Ｃｌ-、Ｂｒ-、Ｉ-、ＳＣＮ-、ＢＲ1Ｒ2Ｒ3Ｒ4、ＢＯＲ1ＯＲ2ＯＲ3ＯＲ4、任意選択的にアルキルまたは置換アルキルで置換されたカーボレート（１−カルバドデカボレート（１−））、任意選択的にアルキルアミン、置換アルキルアミン、アルキルまたは置換アルキルで置換されたカーボラン（ジカルバドデカボレート（１−））、［ＢＦ4］-、［ＰＦ6］-、［ＳｂＦ6］-、［ＣＦ3ＳＯ3］-、［ＨＣＦ2ＣＦ2ＳＯ3］-、［ＣＦ3ＨＦＣＣＦ2ＳＯ3］-、［ＨＣＣｌＦＣＦ2ＳＯ3］-、［（ＣＦ3ＳＯ2）2Ｎ］-、［（ＣＦ3ＣＦ2ＳＯ2）2Ｎ］-、［（ＣＦ3ＳＯ2）3Ｃ］-、［ＣＦ3ＣＯ2］-、［ＣＦ3ＯＣＦＨＣＦ2ＳＯ3］-、［ＣＦ3ＣＦ2ＯＣＦＨＣＦ2ＳＯ3］-、［ＣＦ3ＣＦＨＯＣＦ2ＣＦ2ＳＯ3］-、［ＣＦ2ＨＣＦ2ＯＣＦ2ＣＦ2ＳＯ3］-、［ＣＦ2ＩＣＦ2ＯＣＦ2ＣＦ2ＳＯ3］-、［ＣＦ3ＣＦ2ＯＣＦ2ＣＦ2ＳＯ3］-、［（ＣＦ2ＨＣＦ2ＳＯ2）2Ｎ］-、［（ＣＦ3ＣＦＨＣＦ2ＳＯ2）2Ｎ］-、Ｆ-および式
【化４】
2012512991.tif 000004
のアニオンからなる群から選択される
（式中、Ｒ11は、
（ｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ10の直鎖状、分枝状または環状のアルカンまたはアルケン、
（ｉｉ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ10の直鎖状、分枝状または環状のアルカンまたはアルケン、
（ｉｉｉ）Ｃ6〜Ｃ10非置換アリール、またはＯ、Ｎ、ＳｉおよびＳからなる群から独立して選択される１〜３個のヘテロ原子を有するＣ3〜Ｃ10非置換ヘテロアリール、および
（ｉｖ）Ｃ6〜Ｃ10置換アリール、またはＯ、Ｎ、ＳｉおよびＳからなる群から独立して選択される１〜３個のヘテロ原子を有するＣ3〜Ｃ10置換ヘテロアリールであって、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ10の直鎖状、分枝状または環状のアルカンまたはアルケン、
（２）ＯＨ、
（３）ＮＨ2および
（４）ＳＨ
からなる群から独立して選択される１〜３個の置換基を有する置換アリールまたは置換ヘテロアリール
からなる群から独立して選択され、
任意選択的に、Ｒ1、Ｒ2、Ｒ3、Ｒ4、Ｒ5、Ｒ6、Ｒ7、Ｒ8、Ｒ9およびＲ10の少なくとも２つが一緒になって、環状または二環式のアルカニルまたはアルケニル基を形成することができる）
ことを特徴とする請求項１に記載の吸収パワーサイクルシステム。
【請求項４】
前記作動流体が、水またはアンモニアを含むことを特徴とする請求項１に記載の吸収パワーサイクルシステム。
【請求項５】
前記作動流体が、ヒドロフルオロカーボン、ヒドロクロロフルオロカーボン、クロロフルオロカーボン、フルオロカーボン、窒素（Ｎ2）、酸素（Ｏ2）、二酸化炭素（ＣＯ2）、アルゴン（Ａｒ）、水素（Ｈ2）、フッ素化されていないヒドロカーボン、メタノールおよび前述したもののいずれかの混合物からなる群から選択される作動流体を含むことを特徴とする請求項１に記載の吸収パワーサイクルシステム。
【請求項６】
前記フッ素化されていないヒドロカーボンは、Ｃ1〜Ｃ7の直鎖状、分枝状または環状のアルカンおよびＣ1〜Ｃ7の直鎖状、分枝状または環状のアルケンからなる群から選択されることを特徴とする請求項５に記載の吸収パワーサイクルシステム。
【請求項７】
前記作動流体が、
（ｉ）式Ｅ−Ｒ1ＣＨ＝ＣＨＲ2またはＺ−Ｒ1ＣＨ＝ＣＨＲ2（式中、Ｒ1およびＲ2は、独立に、Ｃ1〜Ｃ6パーフルオロアルキル基である）のフルオロオレフィン、
（ｉｉ）式シクロ−［ＣＸ＝ＣＹ（ＣＺＷ）n−］（式中、Ｘ、Ｙ、ＺおよびＷは、独立に、ＨまたはＦであり、ｎは２〜５の整数である）の環状フルオロオレフィン、および
（ｉｉｉ）テトラフルオロエチレン（ＣＦ2＝ＣＦ2）、ヘキサフルオロプロペン（ＣＦ3ＣＦ＝ＣＦ2）、１，２，３，３，３−ペンタフルオロ−１−プロペン（ＣＨＦ＝ＣＦＣＦ3）、１，１，３，３，３−ペンタフルオロ−１−プロペン（ＣＦ2＝ＣＨＣＦ3）、１，１，２，３，３−ペンタフルオロ−１−プロペン（ＣＦ2＝ＣＦＣＨＦ2）、１，２，３，３−テトラフルオロ−１−プロペン（ＣＨＦ＝ＣＦＣＨＦ2）、２，３，３，３−テトラフルオロ−１−プロペン（ＣＨ2＝ＣＦＣＦ3）、１，３，３，３−テトラフルオロ−１−プロペン（ＣＨＦ＝ＣＨＣＦ3）、１，１，２，３−テトラフルオロ−１−プロペン（ＣＦ2＝ＣＦＣＨ2Ｆ）、１，１，３，３−テトラフルオロ−１−プロペン（ＣＦ2＝ＣＨＣＨＦ2）、１，２，３，３−テトラフルオロ−１−プロペン（ＣＨＦ＝ＣＦＣＨＦ2）、３，３，３−トリフルオロ−１−プロペン（ＣＨ2＝ＣＨＣＦ3）、２，３，３−トリフルオロ−１−プロペン（ＣＨＦ2ＣＦ＝ＣＨ2）、１，１，２−トリフルオロ−１−プロペン（ＣＨ3ＣＦ＝ＣＦ2）、１，２，３−トリフルオロ−１−プロペン（ＣＨ2ＦＣＦ＝ＣＦ2）、１，１，３−トリフルオロ−１−プロペン（ＣＨ2ＦＣＨ＝ＣＦ2）、１，３，３−トリフルオロ−１−プロペン（ＣＨＦ2ＣＨ＝ＣＨＦ）、１，１，１，２，３，４，４，４−オクタフルオロ−２−ブテン（ＣＦ3ＣＦ＝ＣＦＣＦ3）、１，１，２，３，３，４，４，４−オクタフルオロ−１−ブテン（ＣＦ3ＣＦ2ＣＦ＝ＣＦ2）、１，１，１，２，４，４，４−ヘプタフルオロ−２−ブテン（ＣＦ3ＣＦ＝ＣＨＣＦ3）、１，２，３，３，４，４，４−ヘプタフルオロ−１−ブテン（ＣＨＦ＝ＣＦＣＦ2ＣＦ3）、１，１，１，２，３，４，４−ヘプタフルオロ−２−ブテン（ＣＨＦ2ＣＦ＝ＣＦＣＦ3）、１，３，３，３−テトラフルオロ−２−（トリフルオロメチル）−１−プロペン（（ＣＦ3）2Ｃ＝ＣＨＦ）、１，１，３，３，４，４，４−ヘプタフルオロ−１−ブテン（ＣＦ2＝ＣＨＣＦ2ＣＦ3）、１，１，２，３，４，４，４−ヘプタフルオロ−１−ブテン（ＣＦ2＝ＣＦＣＨＦＣＦ3）、１，１，２，３，３，４，４−ヘプタフルオロ−１−ブテン（ＣＦ2＝ＣＦＣＦ2ＣＨＦ2）、２，３，３，４，４，４−ヘキサフルオロ−１−ブテン（ＣＦ3ＣＦ2ＣＦ＝ＣＨ2）、１，３，３，４，４，４−ヘキサフルオロ−１−ブテン（ＣＨＦ＝ＣＨＣＦ2ＣＦ3）、１，２，３，４，４，４−ヘキサフルオロ−１−ブテン（ＣＨＦ＝ＣＦＣＨＦＣＦ3）、１，２，３，３，４，４−ヘキサフルオロ−１−ブテン（ＣＨＦ＝ＣＦＣＦ2ＣＨＦ2）、１，１，２，３，４，４−ヘキサフルオロ−２−ブテン（ＣＨＦ2ＣＦ＝ＣＦＣＨＦ2）、１，１，１，２，３，４−ヘキサフルオロ−２−ブテン（ＣＨ2ＦＣＦ＝ＣＦＣＦ3）、１，１，１，２，４，４−ヘキサフルオロ−２−ブテン（ＣＨＦ2ＣＨ＝ＣＦＣＦ3）、１，１，１，３，４，４−ヘキサフルオロ−２−ブテン（ＣＦ3ＣＨ＝ＣＦＣＨＦ2）、１，１，２，３，３，４−ヘキサフルオロ−１−ブテン（ＣＦ2＝ＣＦＣＦ2ＣＨ2Ｆ）、１，１，２，３，４，４−ヘキサフルオロ−１−ブテン（ＣＦ2＝ＣＦＣＨＦＣＨＦ2）、３，３，３−トリフルオロ−２−（トリフルオロメチル）−１−プロペン（ＣＨ2＝Ｃ（ＣＦ3）2）、１，１，１，２，４−ペンタフルオロ−���−ブテン（ＣＨ2ＦＣＨ＝ＣＦＣＦ3）、１，１，１，３，４−ペンタフルオロ−２−ブテン（ＣＦ3ＣＨ＝ＣＦＣＨ2Ｆ）、３，３，４，４，４−ペンタフルオロ−１−ブテン（ＣＦ3ＣＦ2ＣＨ＝ＣＨ2）、１，１，１，４，４−ペンタフルオロ−２−ブテン（ＣＨＦ2ＣＨ＝ＣＨＣＦ3）、１，１，１，２，３−ペンタフルオロ−２−ブテン（ＣＨ3ＣＦ＝ＣＦＣＦ3）、２，３，３，４，４−ペンタフルオロ−１−ブテン（ＣＨ2＝ＣＦＣＦ2ＣＨＦ2）、１，１，２，４，４−ペンタフルオロ−２−ブテン（ＣＨＦ2ＣＦ＝ＣＨＣＨＦ2）、１，１，２，３，３−ペンタフルオロ−１−ブテン（ＣＨ3ＣＦ2ＣＦ＝ＣＦ2）、１，１，２，３，４−ペンタフルオロ−２−ブテン（ＣＨ2ＦＣＦ＝ＣＦＣＨＦ2）、１，１，３，３，３−ペンタフルオロ−２−メチル−１−プロペン（ＣＦ2＝Ｃ（ＣＦ3）（ＣＨ3））、２−（ジフルオロメチル）−３，３，３−トリフルオロ−１−プロペン（ＣＨ2＝Ｃ（ＣＨＦ2）（ＣＦ3））、２，３，４，４，４−ペンタフルオロ−１−ブテン（ＣＨ2＝ＣＦＣＨＦＣＦ3）、１，２，４，４，４−ペンタフルオロ−１−ブテン（ＣＨＦ＝ＣＦＣＨ2ＣＦ3）、１，３，４，４，４−ペンタフルオロ−１−ブテン（ＣＨＦ＝ＣＨＣＨＦＣＦ3）、１，３，３，４，４−ペンタフルオロ−１−ブテン（ＣＨＦ＝ＣＨＣＦ2ＣＨＦ2）、１，２，３，４，４−ペンタフルオロ−１−ブテン（ＣＨＦ＝ＣＦＣＨＦＣＨＦ2）、３，３，４，４−テトラフルオロ−１−ブテン（ＣＨ2＝ＣＨＣＦ2ＣＨＦ2）、１，１−ジフルオロ−２−（ジフルオロメチル）−１−プロペン（ＣＦ2＝Ｃ（ＣＨＦ2）（ＣＨ3））、１，３，３，３−テトラフルオロ−２−メチル−１−プロペン（ＣＨＦ＝Ｃ（ＣＦ3）（ＣＨ3））、３，３−ジフルオロ−２−（ジフルオロメチル）−１−プロペン（ＣＨ2＝Ｃ（ＣＨＦ2）2）、１，１，１，２−テトラフルオロ−２−ブテン（ＣＦ3ＣＦ＝ＣＨＣＨ3）、１，１，１，３−テトラフルオロ−２−ブテン（ＣＨ3ＣＦ＝ＣＨＣＦ3）、１，１，１，２，３，４，４，５，５，５−デカフルオロ−２−ペンテン（ＣＦ3ＣＦ＝ＣＦＣＦ2ＣＦ3）、１，１，２，３，３，４，４，５，５，５−デカフルオロ−１−ペンテン（ＣＦ2＝ＣＦＣＦ2ＣＦ2ＣＦ3）、１，１，１，４，４，４−ヘキサフルオロ−２−（トリフルオロメチル）−２−ブテン（（ＣＦ3）2Ｃ＝ＣＨＣＦ3）、１，１，１，２，４，４，５，５，５−ノナフルオロ−２−ペンテン（ＣＦ3ＣＦ＝ＣＨＣＦ2ＣＦ3）、１，１，１，３，４，４，５，５，５−ノナフルオロ−２−ペンテン（ＣＦ3ＣＨ＝ＣＦＣＦ2ＣＦ3）、１，２，３，３，４，４，５，５，５−ノナフルオロ−１−ペンテン（ＣＨＦ＝ＣＦＣＦ2ＣＦ2ＣＦ3）、１，１，３，３，４，４，５，５，５−ノナフルオロ−１−ペンテン（ＣＦ2＝ＣＨＣＦ2ＣＦ2ＣＦ3）、１，１，２，３，３，４，４，５，５−ノナフルオロ−１−ペンテン（ＣＦ2＝ＣＦＣＦ2ＣＦ2ＣＨＦ2）、１，１，２，３，４，４，５，５，５−ノナフルオロ−２−ペンテン（ＣＨＦ2ＣＦ＝ＣＦＣＦ2ＣＦ3）、１，１，１，２，３，４，４，５，５−ノナフルオロ−２−ペンテン（ＣＦ3ＣＦ＝ＣＦＣＦ2ＣＨＦ2）、１，１，１，２，３，４，５，５，５−ノナフルオロ−２−ペンテン（ＣＦ3ＣＦ＝ＣＦＣＨＦＣＦ3）、１，２，３，４，４，４−ヘキサフルオロ−３−（トリフルオロメチル）−１−ブテン（ＣＨＦ＝ＣＦＣＦ（ＣＦ3）2）、１，１，２，４，４，４−ヘキサフルオロ−３−（トリフルオロメチル）−１−ブテン（ＣＦ2＝ＣＦＣＨ（ＣＦ3）2）、１，１，１，４，４，４−ヘキサフルオロ−２−（トリフルオロメチル）−２−ブテン（ＣＦ3ＣＨ＝Ｃ（ＣＦ3）2）、１，１，３，４，４，４−ヘキサフルオロ−３−（トリフルオロメチル）−１−ブテン（ＣＦ2＝ＣＨＣＦ（ＣＦ3）2）、２，３，３，４，４，５，５，５−オクタフルオロ−１−ペンテン（ＣＨ2＝ＣＦＣＦ2ＣＦ2ＣＦ3）、１，２，３，３，４，４，５，５−オクタフルオロ−１−ペンテン（ＣＨＦ＝ＣＦＣＦ2ＣＦ2ＣＨＦ2）、３，３，４，４，４−ペンタフルオロ−２−（トリフルオロメチル）−１−ブテン（ＣＨ2＝Ｃ（ＣＦ3）ＣＦ2ＣＦ3）、１，１，４，４，４−ペンタフルオロ−３−（トリフルオロメチル）−１−ブテン（ＣＦ2＝ＣＨＣＨ（ＣＦ3）2）、１，３，４，４，４−ペンタフルオロ−３−（トリフルオロメチル）−１−ブテン（ＣＨＦ＝ＣＨＣＦ（ＣＦ3）2）、１，１，４，４，４−ペンタフルオロ−２−（トリフルオロメチル）−１−ブテン（ＣＦ2＝Ｃ（ＣＦ3）ＣＨ2ＣＦ3）、３，４，４，４−テトラフルオロ−３−（トリフルオロメチル）−１−ブテン（（ＣＦ3）2ＣＦＣＨ＝ＣＨ2）、３，３，４，４，５，５，５−ヘプタフルオロ−１−ペンテン（ＣＦ3ＣＦ2ＣＦ2ＣＨ＝ＣＨ2）、２，３，３，４，４，５，５−ヘプタフルオロ−１−ペンテン（ＣＨ2＝ＣＦＣＦ2ＣＦ2ＣＨＦ2）、１，１，３，３，５，５，５−ヘプタフルオロ−１−ブテン（ＣＦ2＝ＣＨＣＦ2ＣＨ2ＣＦ3）、１，１，１，２，４，４，４−ヘプタフルオロ−３−メチル−２−ブテン（ＣＦ3ＣＦ＝Ｃ（ＣＦ3）（ＣＨ3））、２，４，４，４−テトラフルオロ−３−（トリフルオロメチル）−１−ブテン（ＣＨ2＝ＣＦＣＨ（ＣＦ3）2）、１，４，４，４−テトラフルオロ−３−（トリフルオロメチル）−１−ブテン（ＣＨＦ＝ＣＨＣＨ（ＣＦ3）2）、１，１，１，４−テトラフルオロ−２−（トリフルオロメチル）−２−ブテン（ＣＨ2ＦＣＨ＝Ｃ（ＣＦ3）2）、１，１，１，３−テトラフルオロ−２−（トリフルオロメチル）−２−ブテン（ＣＨ3ＣＦ＝Ｃ（ＣＦ3）2）、１，１，１−トリフルオロ−２−（トリフルオロメチル）−２−ブテン（（ＣＦ3）2Ｃ＝ＣＨＣＨ3）、３，４，４，５，５，５−ヘキサフルオロ−２−ペンテン（ＣＦ3ＣＦ2ＣＦ＝ＣＨＣＨ3）、１，１，１，４，４，４−ヘキサフルオロ−２−メチル−２−ブテン（ＣＦ3Ｃ（ＣＨ3）＝ＣＨＣＦ3）、３，３，４，５，５，５−ヘキサフルオロ−１−ペンテン（ＣＨ
2＝ＣＨＣＦ2ＣＨＦＣＦ3）、４，４，４−トリフルオロ−２−（トリフルオロメチル）−１−ブテン（ＣＨ2＝Ｃ（ＣＦ3）ＣＨ2ＣＦ3）、１，１，２，３，３，４，４，５，５，６，６，６−ドデカフルオロ−１−ヘキセン（ＣＦ3（ＣＦ2）3ＣＦ＝ＣＦ2）、１，１，１，２，２，３，４，５，５，６，６，６−ドデカフルオロ−３−ヘキセン（ＣＦ3ＣＦ2ＣＦ＝ＣＦＣＦ2ＣＦ3）、１，１，１，４，４，４−ヘキサフルオロ−２，３−ビス（トリフルオロメチル）−２−ブテン（（ＣＦ3）2Ｃ＝Ｃ（ＣＦ3）2）、１，１，１，２，３，４，５，５，５−ノナフルオロ−４−（トリフルオロメチル）−２−ペンテン（（ＣＦ3）2ＣＦＣＦ＝ＣＦＣＦ3）、１，１，１，４，４，５，５，５−オクタフルオロ−２−（トリフルオロメチル）−２−ペンテン（（ＣＦ3）2Ｃ＝ＣＨＣ2Ｆ5）、１，１，１，３，４，５，５，５−オクタフルオロ−４−（トリフルオロメチル）−２−ペンテン（（ＣＦ3）2ＣＦＣＦ＝ＣＨＣＦ3）、３，３，４，４，５，５，６，６，６−ノナフルオロ−１−ヘキセン（ＣＦ3ＣＦ2ＣＦ2ＣＦ2ＣＨ＝ＣＨ2）、４，４，４−トリフルオロ−３，３−ビス（トリフルオロメチル）−１−ブテン（ＣＨ2＝ＣＨＣ（ＣＦ3）3）、１，１，１，４，４，４−ヘキサフルオロ−３−メチル−２−（トリフルオロメチル）−２−ブテン（（ＣＦ3）2Ｃ＝Ｃ（ＣＨ3）（ＣＦ3））、２，３，３，５，５，５−ヘキサフルオロ−４−（トリフルオロメチル）−１−ペンテン（ＣＨ2＝ＣＦＣＦ2ＣＨ（ＣＦ3）2）、１，１，１，２，４，４，５，５，５−ノナフルオロ−３−メチル−２−ペンテン（ＣＦ3ＣＦ＝Ｃ（ＣＨ3）ＣＦ2ＣＦ3）、１，１，１，５，５，５−ヘキサフルオロ−４−（トリフルオロメチル）−２−ペンテン（ＣＦ3ＣＨ＝ＣＨＣＨ（ＣＦ3）2）、３，４，４，５，５，６，６，６−オクタフルオロ−２−ヘキセン（ＣＦ3ＣＦ2ＣＦ2ＣＦ＝ＣＨＣＨ3）、３，３，４，４，５，５，６，６−オクタフルオロ１−ヘキセン（ＣＨ2＝ＣＨＣＦ2ＣＦ2ＣＦ2ＣＨＦ2）、１，１，１，４，４−ペンタフルオロ−２−（トリフルオロメチル）−２−ペンテン（（ＣＦ3）2Ｃ＝ＣＨＣＦ2ＣＨ3）、４，４，５，５，５−ペンタフルオロ−２−（トリフルオロメチル）−１−ペンテン（ＣＨ2＝Ｃ（ＣＦ3）ＣＨ2Ｃ2Ｆ5）、３，３，４，４，５，５，５−ヘプタフルオロ−２−メチル−１−ペンテン（ＣＦ3ＣＦ2ＣＦ2Ｃ（ＣＨ3）＝ＣＨ2）、４，４，５，５，６，６，６−ヘプタフルオロ−２−ヘキセン（ＣＦ3ＣＦ2ＣＦ2ＣＨ＝ＣＨＣＨ3）、４，４，５，５，６，６，６−ヘプタフルオロ−１−ヘキセン（ＣＨ2＝ＣＨＣＨ2ＣＦ2Ｃ2Ｆ5）、１，１，１，２，２，３，４−ヘプタフルオロ−３−ヘキセン（ＣＦ3ＣＦ2ＣＦ＝ＣＦＣ2Ｈ5）、４，５，５，５−テトラフルオロ−４−（トリフルオロメチル）−１−ペンテン（ＣＨ2＝ＣＨＣＨ2ＣＦ（ＣＦ3）2）、１，１，１，２，５，５，５−ヘプタフルオロ−４−メチル−２−ペンテン（ＣＦ3ＣＦ＝ＣＨＣＨ（ＣＦ3）（ＣＨ3））、１，１，１，３−テトラフルオロ−２−（トリフルオロメチル）−２−ペンテン（（ＣＦ3）2Ｃ＝ＣＦＣ2Ｈ5）、１，１，１，２，３，４，４，５，５，６，６，７，７，７−テトラデカフルオロ−２−ヘプテン（ＣＦ3ＣＦ＝ＣＦＣＦ2ＣＦ2Ｃ2Ｆ5）、１，１，１，２，２，３，４���５，５，６，６，７，７，７−テトラデカフルオロ−３−ヘプテン（ＣＦ3ＣＦ2ＣＦ＝ＣＦＣＦ2Ｃ2Ｆ5）、１，１，１，３，４，４，５，５，６，６，７，７，７−トリデカフルオロ−２−ヘプテン（ＣＦ3ＣＨ＝ＣＦＣＦ2ＣＦ2Ｃ2Ｆ5）、１，１，１，２，４，４，５，５，６，６，７，７，７−トリデカフルオロ−２−ヘプテン（ＣＦ3ＣＦ＝ＣＨＣＦ2ＣＦ2Ｃ2Ｆ5）、１，１，１，２，２，４，５，５，６，６，７，７，７−トリデカフルオロ−３−ヘプテン（ＣＦ3ＣＦ2ＣＨ＝ＣＦＣＦ2Ｃ2Ｆ5）および１，１，１，２，２，３，５，５，６，６，７，７，７−トリデカフルオロ−３−ヘプテン（ＣＦ3ＣＦ2ＣＦ＝ＣＨＣＦ2Ｃ2Ｆ5）からなる群から選択されるフルオロオレフィン
からなる群から選択される少なくとも１つのヒドロフルオロカーボンまたはフルオロカーボンを含むことを特徴とする請求項５に記載の吸収パワーサイクルシステム。
【請求項８】
前記フルオロオレフィンが、１，１，１，４，４，４−ヘキサフルオロブタ−２−エン、１，１，１，４，４，５，５，５−オクタフルオロペンタ−２−エン、１，１，１，４，４，５，５，６，６，６−デカフルオロヘキサ−２−エン、１，１，１，４，５，５，５−ヘプタフルオロ−４−（トリフルオロメチル）ペンタ−２−エン、１，１，１，２，２，５，５，６，６，６−デカフルオロヘキサ−３−エン、１，１，１，４，４，５，５，６，６，７，７，７−ドデカフルオロヘプタ−２−エン、１，１，１，４，４，５，６，６，６−ノナフルオロ−５−（トリフルオロメチル）ヘキサ−２−エン、１，１，１，４，５，５，６，６，６−ノンフルオロ−４−（トリフルオロメチル）ヘキサ−２−エン、１，１，１，５，５，５−ヘキサフルオロ−４，４−ビス（トリフルオロメチル）ペンタ−２−エン、１，１，１，２，２，５，５，６，６，７，７，７−ドデカフルオロヘプタ−３−エン、１，１，１，２，２，５，６，６，６−ノナフルオロ−５−（トリフルオロメチル）ヘキサ−３−エン、１，１，１，４，４，５，５，６，６，７，７，８，８，８−テトラデカフルオロオクタ−２−エン、１，１，１，４，４，５，５，６，７，７，７−ウンデカフルオロ−６−（トリフルオロメチル）ヘプタ−２−エン、１，１，１，５，５，６，６，６−オクタフルオロ−４，４−ビス（トリフルオロメチル）ヘキサ−２−エン、１，１，１，２，２，５，５，６，６，７，７，８，８，８−テトラデカフルオロオクタ−３−エン、１，１，１，２，２，５，５，６，７，７，７−ウンデカフルオロ−６−（トリフルオロメチル）ヘプタ−３−エン、１，１，１，２，２，５，６，６，７，７，７−ウンデカフルオロ−５−（トリフルオロメチル）ヘプタ−３−エン、１，１，１，２，２，６，６，６−オクタフルオロ−５，５−ビス（トリフルオロメチル）ヘキサ−３−エン、１，１，１，２，２，３，３，６，６，７，７，８，８，８−テトラデカフルオロオクタ−４−エン、１，１，１，２，５，６，６，６−オクタフルオロ−２，５−ビス（トリフルオロメチル）ヘキサ−３−エン、１，１，１，２，５，５，６，６，７，７，７−ウンデカフルオロ−２−（トリフルオロメチル）ヘプタ−３−エン、１，１，１，４，４，５，５，６，６，７，７，８，８，９，９，９−ヘキサデカフルオロノナ−２−エン、１，１，１，４，５，５，６，６，７，７，８，８，８−トリデカフルオロ−４−（トリフルオロメチル）ヘプタ−２−エン、１，１，１，６，６，６−オクタフルオロ−４，４−ビス（トリフルオロメチル）ヘプタ−２−エン、１，１，１，２，２，５，５，６，６，７，７，８，８，９，９，９−ヘキサデカフルオロノナ−３−エン、１，１，１，２，２，５，５，６，６，７，８，８，８−トリデカフルオロ−７−（トリフルオロメチル）オクタ−３−エン、１，１，１，２，２，６，６，７，７，７−デカフルオロ−５，５−ビス（トリフルオロメチル）ヘプタ−３−エン、１，１，１，２，２，３，３，６，６，７，７，８，８，９，９，９−ヘキサデカフルオロノナ−４−エン、１，１，１，２，２，３，３，６，６，７，８，８，８−トリデカフルオロ−７−（トリフルオロメチル）オクタ−４−エン、１，１，１，２，２，３，３，６，７，７，８，８，８−トリデカフルオロ−６−（トリフルオロメチル）オクタ−４−エン、１，１，１，５，５，６，６，７，７，７−デカフルオロ−２，２−ビス（トリフルオロメチル）ヘプタ−３−エン、１，１，１，２，５，５，６，６，７，７，８，８，８−トリデカフルオロ−２（トリフルオロメチル）オクタ−３−エン、１，１，１，２，５，５，６，７，７，７−デカフルオロ−２，６−ビス（トリフルオロメチル）ヘプタ−３−エン、１，１，１，２，５，６，６，７，７，７−デカフルオロ−２，５−ビス（トリフルオロメチル）ヘプタ−３−エン、１，１，１，２，６，６，６−ヘプタフルオロ−２，５，５−トリス（トリフルオロメチル）ヘキサ−３−エン、１，１，１，２，２，５，５，６，６，７，７，８，８，９，９，１０，１０，１０−オクタデカフルオロデカ−３−エン、１，１，１，２，２，５，６，６，７，７，８，８，９，９，９−ペンタデカフルオロ−５−（トリフルオロメチル）ノナ−３−エン、１，１，１，２，２，６，６，７，７，８，８，８−ドデカフルオロ−５，５−ビス（トリフルオロメチル）オクタ−３−エン、１，１，１，２，２，３，３，６，６，７，７，８，８，９，９，１０，１０，１０−オクタデカフルオロデカ−４−エン、１，１，１，２，２，３，３，６，６，７，７，８，９，９，９−ペンタデカフルオロ−８−（トリフルオロメチル）ノナ−４−エン、１，１，１，２，２，３，３，７，７，８，８，８−ドデカフルオロ−６，６−ビス（トリフルオロメチル）オクタ−４−エン、１，１，１，２，５，５，６，６，７，７，８，８，９，９，９−ペンタデカフルオロ−２−（トリフルオロメチル）ノナ−３−エン、１，１，１，２，５，５，６，６，７，８，８，８−ドデカフルオロ−２，７−ビス（トリフルオロメチル）オクタ−３−エン、１，１，１，２，６，６，７，７，７−ノナフルオロ−２，５，５−トリス（トリフルオロメチル）ヘプタ−３−エン、１，１，１，２，２，３，３，４，４，７，７，８，８，９，９，１０，１０，１０−オクタデカフルオロデカ−５−エン、１，１，１，２，３，３，６，６，７，７，８，８，９，９，９−ペンタデカフルオロ−２−（トリフルオロメチル）ノナ−４−エン、１，１，１，２，２，３，６，６，７，７，８，８，９，９，９−ペンタデカフルオロ−３−（トリフルオロメチル）ノナ−４−エン、１，１，１，５，５，６，６，７，７，８，８，８−ドデカフルオロ−２，２，−ビス（トリフルオロメチル）オクタ−３−エン、１，１，１，２，３，３，６，６，７，８，８，８−ドデカフルオロ−２，７−ビス（トリフルオロメチル）オクタ−４−エン、１，１，１，２，３，３，６，７，７，８，８，８−ドデカフルオロ−２，６−ビス（トリフルオロメチル）オクタ−４−エン、１，１，１，５，５，６，７，７，７−ノナフルオロ−２，２，６−トリス（トリフルオロメチル）ヘプタ−３−エン、１，１，１，２，２，３，６，７，７，８，８，８−ドデカフルオロ−３，６−ビス（トリフルオロメチル）オクタ−４−エン、１，１，１，２，２，３，６，７，７，８，８，８−ドデカフルオロ−３，６−ビス（トリフルオロメチル）オクタ−４−エン、１，１，１，５，６，６，７，７，７−ノナフルオロ−２，２，５−トリス（トリフルオロメチル）ヘプタ−３−エンおよび１，１，１，６，６，６−ヘキサフルオロ−２，２，５，５−テトラキス（トリフルオロメチル）ヘキサ−３−エンからなる群から選択されることを特徴とする請求項７に記載の吸収パワーサイクルシステム。
【請求項９】
前記フルオロオレフィンが、１，２，３，３，４，４−ヘキサフルオロシクロブテン、３，３，４，４−テトラフルオロシクロブテン、３，３，４，４，５，５，−ヘキサフルオロシクロペンテン、１，２，３，３，４，４，５，５−オクタフルオロシクロペンテンおよび１，２，３，３，４，４，５，５，６，６−デカフルオロシクロヘキセンからなる群から選択されることを特徴とする請求項７に記載の吸収パワーサイクルシステム。
【請求項１０】
前記作動流体が、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）、フルオロエタン（ＨＦＣ−１６１）、１，１，１，３，３−ペンタフルオロプロパン（ＨＦＣ−２４５ｆａ）、１，１，１，３，３，３−ヘキサフルオロプロパン（ＨＦＣ−２３６ｆａ）、１，１，１，２，３，３，３−ヘプタフルオロプロパン（ＨＦＣ−２２７ｅａ）、１，１，１，３，３−ペンタフルオロブタン（ＨＦＣ−３６５ｍｆｃ）、１，１，１，２，３，４，４，５，５，５−デカフルオロペンタン（ＨＦＣ−４３−１０ｍｅｅ）、１，１，１，２，２，３，４，５，５，６，６，７，７，７−テトラデカフルオロヘプタン（ＨＦＣ−６３−１４ｍｃｅｅ）、２，３，３，３−テトラフルオロプロペン（ＨＦＯ−１２３４ｙｆ）、１，３，３，３−テトラフルオロプロペン（ＨＦＯ−１２３４ｚｅ）、１，２，３，３−テトラフルオロプロペン（ＨＦＯ−１２３４ｙｅ）、３，３，３−トリフルオロプロペン（ＨＦＯ−１２４３ｚｆ）、１，２，３，３，３−ペンタフルオロプロペン（ＨＦＯ−１２２５ｙｅ）、１，１，１，３，３−ペンタフルオロプロペン（ＨＦＯ−１２２５ｚｃ）、１，１，１，２，２，４，５，５，６，６，７，７，７−トリデカフルオロ−３−ヘプテン（ＨＦＯ−１６２−１３ｍｃｚｙ）および１，１，１，２，２，３，５，５，６，６，７，７，７−トリデカフルオロ−３−ヘプテン（ＨＦＯ−１６２−１３ｍｃｙｚ）、ジクロロジフルオロメタン（ＣＦＣ−１２）、フルオロトリクロロメタン（ＣＦＣ−１１）、１，１，２−トリクロロ−１，２，２−トリフルオロエタン（ＣＦＣ−１１３）、１，２−ジクロロ−１，１，２，２−テトラフルオロエタン（ＣＦＣ−１１４）、クロロジフルオロメタン（ＨＣＦＣ−２２）、２−クロロ−３，３，３−トリフルオロプロペン（ＨＣＦＯ−１２３３ｘｆ）、１−クロロ−３，３，３−トリフルオロプロペン（ＨＣＦＯ−１２３３ｚｄ）、パーフルオロメタン（ＦＣ−１４）、パーフルオロエタン（ＦＣ−１１６）、パーフルオロプロパン（ＦＣ−２１８）、パーフルオロシクロブタン（ＦＣ−Ｃ３１８）、オクタフルオロ−２−ブテン（ＦＯ−１３１８ｍｙ）、メタン、エタン、エチレン、プロパン、シクロプロパン、プロピレン、ｎ−ブタン、ブタン、イソブタン、シクロブタン、ｎ−ペンタン、イソペンタン、ｎ−ヘキサン、シクロヘキサン、ｎ−ヘプタン、窒素（Ｎ2）、酸素（Ｏ2）、二酸化炭素（ＣＯ2）、アンモニア（ＮＨ3）、アルゴン（Ａｒ）、水素（Ｈ2）およびこれらの混合物からなる群から選択される少なくとも１つの作動流体を含むことを特徴とする請求項５に記載の吸収パワーサイクルシステム。
【請求項１１】
前記発生器と前記第１の熱交換器の間、および前記第１の熱交換器と前記吸収器の間に、前記吸収剤と作動流体との混合物を、前記吸収器に戻して再循環するための再循環ラインをさらに含むことを特徴とする請求項１に記載の吸収パワーサイクルシステム。
【請求項１２】
（ａ）吸収器において吸収剤／作動流体混合物を形成する工程と、
（ｂ）前吸収剤／作動流体混合物を加熱して、作動流体蒸気を放出する工程と、
（ｃ）前記作動流体蒸気を機械仕事を生じさせるためのデバイスに送る工程と、
（ｄ）加熱された吸収剤／作動流体混合物を再形成する工程と
を含むことを特徴とする機械仕事を生じさせる方法。
【請求項１３】
工程（ｃ）と（ｄ）の間に、
（ｃ−ｉ）凝縮器において前記作動流体を凝縮する工程と、
（ｃ−ｉｉ）膨張デバイスにおいて前記作動流体を部分的に蒸発させる工程と、
（ｃ−ｉｉｉ）蒸発器において前記作動流体を完全に蒸発させて、冷却を行う工程と
をさらに含むことを特徴とする請求項１２に記載の方法。
【請求項１４】
工程（ｃ）と（ｄ）の間に、
（ｃ−ｉ）凝縮器において前記作動流体を凝縮して熱を生成する工程と、
（ｃ−ｉｉ）膨張デバイスにおいて前記作動流体を部分的に蒸発させる工程と、
（ｃ−ｉｉｉ）蒸発器において前記作動流体を完全に蒸発させる工程と
をさらに含むことを特徴とする請求項１２に記載の方法。
【請求項１５】
工程（ｃ）と（ｄ）の間に、冷却するストリームからの熱を第２の熱交換器で吸収して、前記冷却するストリームを冷却する工程をさらに含む、請求項１２に記載の方法。
【手続補正２】
【補正対象書類名】明細書
【補正対象項目名】０１０３
【補正方法】変更
【補正の内容】
【０１０３】
結晶化抑制剤としては、２００９年１１月６日出願の同時係属ＰＣＴ特許出願第ＰＣＴ／ＵＳ０９／６３５９９号明細書ならびに２００９年３月３１日出願の同時係属米国特許仮出願第６１／１６５，０８９号明細書、第６１／１６５，０９３号明細書、第６１／１６５，１４７号明細書、第６１／１６５，１５５号明細書、第６１／１６５，１６０号明細書、第６１／１６５，１６１号明細書、第６１／１６５，１６６号明細書および第６１／１６５，１７３号明細書に記載された化合物が挙げられる。
以下に、本発明の好ましい態様を示す。
［１］  （ａ）作動流体を吸収剤に吸収して、吸収剤と作動流体との混合物を形成するための吸収器と、
（ｂ）前記吸収剤および作動流体を前記吸収器から受けて予熱するために、前記吸収器と流体連通して配置された第１の熱交換器と、
（ｃ）前記吸収剤と作動流体との混合物を、前記吸収器から前記第１の熱交換器までポンピングするための液体ポンプと、
（ｄ）前記第１の熱交換器から前記予熱混合物を受け、追加の熱を前記予備混合物に移すことによって前記作動流体の高圧蒸気を放出するための、前記第１の熱交換器と流体連通して配置された発電機発生器と、
（ｅ）前記高圧作動流体から機械仕事を生じさせるために、前記発電機発生器と流体連通して配置された機械仕事を生じさせるためのデバイスと
を含み、前記吸収剤がイオン液体を含む、吸収パワーサイクルシステム。
［２］  （ａ）前記機械仕事を生じさせるためのデバイスから出る前記高圧作動流体を凝縮する凝縮器と、
（ｂ）前記圧力を減じ、前記作動流体を部分的に蒸発させるための膨張デバイスと、
（ｃ）前記作動流体を完全に蒸発させて、冷却を行うための蒸発器と
をさらに含む、［１］に記載の吸収パワーサイクルシステム。
［３］  前記イオン液体が、カチオンとアニオンとを含み、前記カチオンが、リチウム、ナトリウム、カリウム、セシウム、および以下の式
【化５】
2012512991.tif 000005
【化６】
2012512991.tif 000006
【化７】
2012512991.tif 000007
からなる群から選択され、
式中、Ｒ1、Ｒ2、Ｒ3、Ｒ4、Ｒ5、Ｒ6、Ｒ12およびＲ13は、
（ｉ）Ｈ、
（ｉｉ）ハロゲン、
（ｉｉｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（ｉｖ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ25の直鎖状、分枝状または環状のアルカンまたはアルケン、
（ｖ）Ｃ6〜Ｃ20非置換アリール、またはＯ、Ｎ、ＳｉおよびＳからなる群から独立して選択される１〜３個のヘテロ原子を有するＣ3〜Ｃ25非置換ヘテロアリール、および
（ｖｉ）  Ｃ6〜Ｃ25置換アリール、またはＯ、Ｎ、ＳｉおよびＳからなる群から独立して選択される１〜３個のヘテロ原子を有するＣ3〜Ｃ25置換ヘテロアリールであって、前記置換アリールまたは置換ヘテロアリールが、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（２）ＯＨ、
（３）ＮＨ2および
（４）ＳＨ
からなる群から独立して選択される１〜３個の置換基を有するもの
からなる群から独立して選択され、
Ｒ7、Ｒ8、Ｒ9およびＲ10は、
（ｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（ｉｉ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ25の直鎖状、分枝状または環状のアルカンまたはアルケン、
（ｉｉｉ）Ｃ6〜Ｃ25非置換アリール、またはＯ、Ｎ、ＳｉおよびＳからなる群から独立して選択される１〜３個のヘテロ原子を有するＣ3〜Ｃ25非置換ヘテロアリール、および
（ｉｖ）Ｃ6〜Ｃ25置換アリール、またはＯ、Ｎ、ＳｉおよびＳからなる群から独立して選択される１〜３個のヘテロ原子を有するＣ3〜Ｃ25置換ヘテロアリールであって、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ25の直鎖状、分枝状または環状のアルカンまたはアルケン、
（２）ＯＨ、
（３）ＮＨ2および
（４）ＳＨ
からなる群から独立して選択される１〜３個の置換基を有する置換アリールまたは置換ヘテロアリール
からなる群から独立して選択され、
任意選択的に、Ｒ1、Ｒ2、Ｒ3、Ｒ4、Ｒ5、Ｒ6、Ｒ7、Ｒ8、Ｒ9およびＲ10の少なくとも２つが一緒になって、環状または二環式のアルカニルまたはアルケニル基を形成することができ、
前記アニオンが、
［ＣＨ3ＣＯ2］-、［ＨＳＯ4］-、［ＣＨ3ＯＳＯ3］-、［Ｃ2Ｈ5ＯＳＯ3］-、［ＡｌＣｌ4］-、［ＣＯ3］2-、［ＨＣＯ3］-、［ＮＯ2］-、［ＮＯ3］-、［ＳＯ4］2-、［ＰＯ3］3-、［ＨＰＯ3］2-、［Ｈ2ＰＯ3］1-、［ＰＯ4］3-、［ＨＰＯ4］2-、［Ｈ2ＰＯ4］-、［ＨＳＯ3］-、［ＣｕＣｌ2］-、Ｃｌ-、Ｂｒ-、Ｉ-、ＳＣＮ-、ＢＲ1Ｒ2Ｒ3Ｒ4、ＢＯＲ1ＯＲ2ＯＲ3ＯＲ4、任意選択的にアルキルまたは置換アルキルで置換されたカーボレート（１−カルバドデカボレート（１−））、任意選択的にアルキルアミン、置換アルキルアミン、アルキルまたは置換アルキルで置換されたカーボラン（ジカルバドデカボレート（１−））、［ＢＦ4］-、［ＰＦ6］-、［ＳｂＦ6］-、［ＣＦ3ＳＯ3］-、［ＨＣＦ2ＣＦ2ＳＯ3］-、［ＣＦ3ＨＦＣＣＦ2ＳＯ3］-、［ＨＣＣｌＦＣＦ2ＳＯ3］-、［（ＣＦ3ＳＯ2）2Ｎ］-、［（ＣＦ3ＣＦ2ＳＯ2）2Ｎ］-、［（ＣＦ3ＳＯ2）3Ｃ］-、［ＣＦ3ＣＯ2］-、［ＣＦ3ＯＣＦＨＣＦ2ＳＯ3］-、［ＣＦ3ＣＦ2ＯＣＦＨＣＦ2ＳＯ3］-、［ＣＦ3ＣＦＨＯＣＦ2ＣＦ2ＳＯ3］-、［ＣＦ2ＨＣＦ2ＯＣＦ2ＣＦ2ＳＯ3］-、［ＣＦ2ＩＣＦ2ＯＣＦ2ＣＦ2ＳＯ3］-、［ＣＦ3ＣＦ2ＯＣＦ2ＣＦ2ＳＯ3］-、［（ＣＦ2ＨＣＦ2ＳＯ2）2Ｎ］-、［（ＣＦ3ＣＦＨＣＦ2ＳＯ2）2Ｎ］-、Ｆ-および式
【化８】
2012512991.tif 000008
のアニオンからなる群から選択され、
（式中、Ｒ11は、
（ｉ）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ10の直鎖状、分枝状または環状のアルカンまたはアルケン、
（ｉｉ）任意選択的にＣｌ、Ｂｒ、Ｆ、Ｉ、ＯＨ、ＮＨ2およびＳＨからなる群から選択される少なくとも１つの要素で置換された、Ｏ、Ｎ、ＳｉおよびＳからなる群から選択される１〜３個のヘテロ原子を含む−ＣＨ3、−Ｃ2Ｈ5またはＣ3〜Ｃ10の直鎖状、分枝状または環状のアルカンまたはアルケン、
（ｉｉｉ）Ｃ6〜Ｃ10非置換アリール、またはＯ、Ｎ、ＳｉおよびＳからなる群から独立して選択される１〜３個のヘテロ原子を有するＣ3〜Ｃ10非置換ヘテロアリール、および
（ｉｖ）Ｃ6〜Ｃ10置換アリール、またはＯ、Ｎ、ＳｉおよびＳからなる群から独立して選択される１〜３個のヘテロ原子を有するＣ3〜Ｃ10置換ヘテロアリールであって、
（１）任意選択的にＣｌ、Ｂｒ、Ｆ、Ｉ、ＯＨ、ＮＨ2およびＳＨからなる群から選択される少なくとも１つの要素で置換された、−ＣＨ3、−Ｃ2Ｈ5またはＣ3〜Ｃ10の直鎖状、分枝状または環状のアルカンまたはアルケン、
（２）ＯＨ、
（３）ＮＨ2および
（４）ＳＨ
からなる群から独立して選択される１〜３個の置換基を有する置換アリールまたは置換ヘテロアリール
からなる群から独立して選択され、
任意選択的により、Ｒ1、Ｒ2、Ｒ3、Ｒ4、Ｒ5、Ｒ6、Ｒ7、Ｒ8、Ｒ9およびＲ10の少なくとも２つが一緒になって、環状または二環式のアルカニルまたはアルケニル基を形成することができる）
［１］に記載の吸収パワーサイクルシステム。
［４］  前記作動流体が水またはアンモニアを含む、［１］に記載の吸収パワーサイクルシステム。
［５］  前記作動流体が、ヒドロフルオロカーボン、ヒドロクロロフルオロカーボン、クロロフルオロカーボン、フルオロカーボン、窒素（Ｎ2）、酸素（Ｏ2）、二酸化炭素（ＣＯ2）、アルゴン（Ａｒ）、水素（Ｈ2）、フッ素化されていないヒドロカーボン、メタノールおよび前述したもののいずれかの混合物からなる群から選択される作動流体を含む、［１］に記載の吸収パワーサイクルシステム。
［６］  前記フッ素化されていないヒドロカーボンは、Ｃ1〜Ｃ7の直鎖状、分枝状または環状のアルカンおよびＣ1〜Ｃ7の直鎖状、分枝状または環状のアルケンからなる群から選択される、［５］に記載の吸収パワーサイクルシステム。
［７］  前記作動流体が、
（ｉ）式Ｅ−Ｒ1ＣＨ＝ＣＨＲ2またはＺ−Ｒ1ＣＨ＝ＣＨＲ2（式中、Ｒ1およびＲ2は、独立に、Ｃ1〜Ｃ6パーフルオロアルキル基である）のフルオロオレフィン、
（ｉｉ）式シクロ−［ＣＸ＝ＣＹ（ＣＺＷ）n−］（式中、Ｘ、Ｙ、ＺおよびＷは、独立に、ＨまたはＦであり、ｎは２〜５の整数である）の環状フルオロオレフィン、および
（ｉｉｉ）テトラフルオロエチレン（ＣＦ2＝ＣＦ2）、ヘキサフルオロプロペン（ＣＦ3ＣＦ＝ＣＦ2）、１，２，３，３，３−ペンタフルオロ−１−プロペン（ＣＨＦ＝ＣＦＣＦ3）、１，１，３，３，３−ペンタフルオロ−１−プロペン（ＣＦ2＝ＣＨＣＦ3）、１，１，２，３，３−ペンタフルオロ−１−プロペン（ＣＦ2＝ＣＦＣＨＦ2）、１，２，３，３−テトラフルオロ−１−プロペン（ＣＨＦ＝ＣＦＣＨＦ2）、２，３，３，３−テトラフルオロ−１−プロペン（ＣＨ2＝ＣＦＣＦ3）、１，３，３，３−テトラフルオロ−１−プロペン（ＣＨＦ＝ＣＨＣＦ3）、１，１，２，３−テトラフルオロ−１−プロペン（ＣＦ2＝ＣＦＣＨ2Ｆ）、１，１，３，３−テトラフルオロ−１−プロペン（ＣＦ2＝ＣＨＣＨＦ2）、１，２，３，３−テトラフルオロ−１−プロペン（ＣＨＦ＝ＣＦＣＨＦ2）、３，３，３−トリフルオロ−１−プロペン（ＣＨ2＝ＣＨＣＦ3）、２，３，３−トリフルオロ−１−プロペン（ＣＨＦ2ＣＦ＝ＣＨ2）、１，１，２−トリフルオロ−１−プロペン（ＣＨ3ＣＦ＝ＣＦ2）、１，２，３−トリフルオロ−１−プロペン（ＣＨ2ＦＣＦ＝ＣＦ2）、１，１，３−トリフルオロ−１−プロペン（ＣＨ2ＦＣＨ＝ＣＦ2）、１，３，３−トリフルオロ−１−プロペン（ＣＨＦ2ＣＨ＝ＣＨＦ）、１，１，１，２，３，４，４，４−オクタフルオロ−２−ブテン（ＣＦ3ＣＦ＝ＣＦＣＦ3）、１，１，２，３，３，４，４，４−オクタフルオロ−１−ブテン（ＣＦ3ＣＦ2ＣＦ＝ＣＦ2）、１，１，１，２，４，４，４−ヘプタフルオロ−２−ブテン（ＣＦ3ＣＦ＝ＣＨＣＦ3）、１，２，３，３，４，４，４−ヘプタフルオロ−１−ブテン（ＣＨＦ＝ＣＦＣＦ2ＣＦ3）、１，１，１，２，３，４，４−ヘプタフルオロ−２−ブテン（ＣＨＦ2ＣＦ＝ＣＦＣＦ3）、１，３，３，３−テトラフルオロ−２−（トリフルオロメチル）−１−プロペン（（ＣＦ3）2Ｃ＝ＣＨＦ）、１，１，３，３，４，４，４−ヘプタフルオロ−１−ブテン（ＣＦ2＝ＣＨＣＦ2ＣＦ3）、１，１，２，３，４，４，４−ヘプタフルオロ−１−ブテン（ＣＦ2＝ＣＦＣＨＦＣＦ3）、１，１，２，３，３，４，４−ヘプタフルオロ−１−ブテン（ＣＦ2＝ＣＦＣＦ2ＣＨＦ2）、２，３，３，４，４，４−ヘキサフルオロ−１−ブテン（ＣＦ3ＣＦ2ＣＦ＝ＣＨ2）、１，３，３，４，４，４−ヘキサフルオロ−１−ブテン（ＣＨＦ＝ＣＨＣＦ2ＣＦ3）、１，２，３，４，４，４−ヘキサフルオロ−１−ブテン（ＣＨＦ＝ＣＦＣＨＦＣＦ3）、１，２，３，３，４，４−ヘキサフルオロ−１−ブテン（ＣＨＦ＝ＣＦＣＦ2ＣＨＦ2）、１，１，２，３，４，４−ヘキサフルオロ−２−ブテン（ＣＨＦ2ＣＦ＝ＣＦＣＨＦ2）、１，１，１，２，３，４−ヘキサフルオロ−２−ブテン（ＣＨ2ＦＣＦ＝ＣＦＣＦ3）、１，１，１，２，４，４−ヘキサフルオロ−２−ブテン（ＣＨＦ2ＣＨ＝ＣＦＣＦ3）、１，１，１，３，４，４−ヘキサフルオロ−２−ブテン（ＣＦ3ＣＨ＝ＣＦＣＨＦ2）、１，１，２，３，３，４−ヘキサフルオロ−１−ブテン（ＣＦ2＝ＣＦＣＦ2ＣＨ2Ｆ）、１，１，２，３，４，４−ヘキサフルオロ−１−ブテン（ＣＦ2＝ＣＦＣＨＦＣＨＦ2）、３，３，３−トリフルオロ−２−（トリフルオロメチル）−１−プロペン（ＣＨ2＝Ｃ（ＣＦ3）2）、１，１，１，２，４−ペンタフルオロ−���−ブテン（ＣＨ2ＦＣＨ＝ＣＦＣＦ3）、１，１，１，３，４−ペンタフルオロ−２−ブテン（ＣＦ3ＣＨ＝ＣＦＣＨ2Ｆ）、３，３，４，４，４−ペンタフルオロ−１−ブテン（ＣＦ3ＣＦ2ＣＨ＝ＣＨ2）、１，１，１，４，４−ペンタフルオロ−２−ブテン（ＣＨＦ2ＣＨ＝ＣＨＣＦ3）、１，１，１，２，３−ペンタフルオロ−２−ブテン（ＣＨ3ＣＦ＝ＣＦＣＦ3）、２，３，３，４，４−ペンタフルオロ−１−ブテン（ＣＨ2＝ＣＦＣＦ2ＣＨＦ2）、１，１，２，４，４−ペンタフルオロ−２−ブテン（ＣＨＦ2ＣＦ＝ＣＨＣＨＦ2）、１，１，２，３，３−ペンタフルオロ−１−ブテン（ＣＨ3ＣＦ2ＣＦ＝ＣＦ2）、１，１，２，３，４−ペンタフルオロ−２−ブテン（ＣＨ2ＦＣＦ＝ＣＦＣＨＦ2）、１，１，３，３，３−ペンタフルオロ−２−メチル−１−プロペン（ＣＦ2＝Ｃ（ＣＦ3）（ＣＨ3））、２−（ジフルオロメチル）−３，３，３−トリフルオロ−１−プロペン（ＣＨ2＝Ｃ（ＣＨＦ2）（ＣＦ3））、２，３，４，４，４−ペンタフルオロ−１−ブテン（ＣＨ2＝ＣＦＣＨＦＣＦ3）、１，２，４，４，４−ペンタフルオロ−１−ブテン（ＣＨＦ＝ＣＦＣＨ2ＣＦ3）、１，３，４，４，４−ペンタフルオロ−１−ブテン（ＣＨＦ＝ＣＨＣＨＦＣＦ3）、１，３，３，４，４−ペンタフルオロ−１−ブテン（ＣＨＦ＝ＣＨＣＦ2ＣＨＦ2）、１，２，３，４，４−ペンタフルオロ−１−ブテン（ＣＨＦ＝ＣＦＣＨＦＣＨＦ2）、３，３，４，４−テトラフルオロ−１−ブテン（ＣＨ2＝ＣＨＣＦ2ＣＨＦ2）、１，１−ジフルオロ−２−（ジフルオロメチル）−１−プロペン（ＣＦ2＝Ｃ（ＣＨＦ2）（ＣＨ3））、１，３，３，３−テトラフルオロ−２−メチル−１−プロペン（ＣＨＦ＝Ｃ（ＣＦ3）（ＣＨ3））、３，３−ジフルオロ−２−（ジフルオロメチル）−１−プロペン（ＣＨ2＝Ｃ（ＣＨＦ2）2）、１，１，１，２−テトラフルオロ−２−ブテン（ＣＦ3ＣＦ＝ＣＨＣＨ3）、１，１，１，３−テトラフルオロ−２−ブテン（ＣＨ3ＣＦ＝ＣＨＣＦ3）、１，１，１，２，３，４，４，５，５，５−デカフルオロ−２−ペンテン（ＣＦ3ＣＦ＝ＣＦＣＦ2ＣＦ3）、１，１，２，３，３，４，４，５，５，５−デカフルオロ−１−ペンテン（ＣＦ2＝ＣＦＣＦ2ＣＦ2ＣＦ3）、１，１，１，４，４，４−ヘキサフルオロ−２−（トリフルオロメチル）−２−ブテン（（ＣＦ3）2Ｃ＝ＣＨＣＦ3）、１，１，１，２，４，４，５，５，５−ノナフルオロ−２−ペンテン（ＣＦ3ＣＦ＝ＣＨＣＦ2ＣＦ3）、１，１，１，３，４，４，５，５，５−ノナフルオロ−２−ペンテン（ＣＦ3ＣＨ＝ＣＦＣＦ2ＣＦ3）、１，２，３，３，４，４，５，５，５−ノナフルオロ−１−ペンテン（ＣＨＦ＝ＣＦＣＦ2ＣＦ2ＣＦ3）、１，１，３，３，４，４，５，５，５−ノナフルオロ−１−ペンテン（ＣＦ2＝ＣＨＣＦ2ＣＦ2ＣＦ3）、１，１，２，３，３，４，４，５，５−ノナフルオロ−１−ペンテン（ＣＦ2＝ＣＦＣＦ2ＣＦ2ＣＨＦ2）、１，１，２，３，４，４，５，５，５−ノナフルオロ−２−ペンテン（ＣＨＦ2ＣＦ＝ＣＦＣＦ2ＣＦ3）、１，１，１，２，３，４，４，５，５−ノナフルオロ−２−ペンテン（ＣＦ3ＣＦ＝ＣＦＣＦ2ＣＨＦ2）、１，１，１，２，３，４，５，５，５−ノナフルオロ−２−ペンテン（ＣＦ3ＣＦ＝ＣＦＣＨＦＣＦ3）、１，２，３，４，４，４−ヘキサフルオロ−３−（トリフルオロメチル）−１−ブテン（ＣＨＦ＝ＣＦＣＦ（ＣＦ3）2）、１，１，２，４，４，４−ヘキサフルオロ−３−（トリフルオロメチル）−１−ブテン（ＣＦ2＝ＣＦＣＨ（ＣＦ3）2）、１，１，１，４，４，４−ヘキサフルオロ−２−（トリフルオロメチル）−２−ブテン（ＣＦ3ＣＨ＝Ｃ（ＣＦ3）2）、１，１，３，４，４，４−ヘキサフルオロ−３−（トリフルオロメチル）−１−ブテン（ＣＦ2＝ＣＨＣＦ（ＣＦ3）2）、２，３，３，４，４，５，５，５−オクタフルオロ−１−ペンテン（ＣＨ2＝ＣＦＣＦ2ＣＦ2ＣＦ3）、１，２，３，３，４，４，５，５−オクタフルオロ−１−ペンテン（ＣＨＦ＝ＣＦＣＦ2ＣＦ2ＣＨＦ2）、３，３，４，４，４−ペンタフルオロ−２−（トリフルオロメチル）−１−ブテン（ＣＨ2＝Ｃ（ＣＦ3）ＣＦ2ＣＦ3）、１，１，４，４，４−ペンタフルオロ−３−（トリフルオロメチル）−１−ブテン（ＣＦ2＝ＣＨＣＨ（ＣＦ3）2）、１，３，４，４，４−ペンタフルオロ−３−（トリフルオロメチル）−１−ブテン（ＣＨＦ＝ＣＨＣＦ（ＣＦ3）2）、１，１，４，４，４−ペンタフルオロ−２−（トリフルオロメチル）−１−ブテン（ＣＦ2＝Ｃ（ＣＦ3）ＣＨ2ＣＦ3）、３，４，４，４−テトラフルオロ−３−（トリフルオロメチル）−１−ブテン（（ＣＦ3）2ＣＦＣＨ＝ＣＨ2）、３，３，４，４，５，５，５−ヘプタフルオロ−１−ペンテン（ＣＦ3ＣＦ2ＣＦ2ＣＨ＝ＣＨ2）、２，３，３，４，４，５，５−ヘプタフルオロ−１−ペンテン（ＣＨ2＝ＣＦＣＦ2ＣＦ2ＣＨＦ2）、１，１，３，３，５，５，５−ヘプタフルオロ−１−ブテン（ＣＦ2＝ＣＨＣＦ2ＣＨ2ＣＦ3）、１，１，１，２，４，４，４−ヘプタフルオロ−３−メチル−２−ブテン（ＣＦ3ＣＦ＝Ｃ（ＣＦ3）（ＣＨ3））、２，４，４，４−テトラフルオロ−３−（トリフルオロメチル）−１−ブテン（ＣＨ2＝ＣＦＣＨ（ＣＦ3）2）、１，４，４，４−テトラフルオロ−３−（トリフルオロメチル）−１−ブテン（ＣＨＦ＝ＣＨＣＨ（ＣＦ3）2）、１，１，１，４−テトラフルオロ−２−（トリフルオロメチル）−２−ブテン（ＣＨ2ＦＣＨ＝Ｃ（ＣＦ3）2）、１，１，１，３−テトラフルオロ−２−（トリフルオロメチル）−２−ブテン（ＣＨ3ＣＦ＝Ｃ（ＣＦ3）2）、１，１，１−トリフルオロ−２−（トリフルオロメチル）−２−ブテン（（ＣＦ3）2Ｃ＝ＣＨＣＨ3）、３，４，４，５，５，５−ヘキサフルオロ−２−ペンテン（ＣＦ3ＣＦ2ＣＦ＝ＣＨＣＨ3）、１，１，１，４，４，４−ヘキサフルオロ−２−メチル−２−ブテン（ＣＦ3Ｃ（ＣＨ3）＝ＣＨＣＦ3）、３，３，４，５，５，５−ヘキサフルオロ−１−ペンテン（ＣＨ
2＝ＣＨＣＦ2ＣＨＦＣＦ3）、４，４，４−トリフルオロ−２−（トリフルオロメチル）−１−ブテン（ＣＨ2＝Ｃ（ＣＦ3）ＣＨ2ＣＦ3）、１，１，２，３，３，４，４，５，５，６，６，６−ドデカフルオロ−１−ヘキセン（ＣＦ3（ＣＦ2）3ＣＦ＝ＣＦ2）、１，１，１，２，２，３，４，５，５，６，６，６−ドデカフルオロ−３−ヘキセン（ＣＦ3ＣＦ2ＣＦ＝ＣＦＣＦ2ＣＦ3）、１，１，１，４，４，４−ヘキサフルオロ−２，３−ビス（トリフルオロメチル）−２−ブテン（（ＣＦ3）2Ｃ＝Ｃ（ＣＦ3）2）、１，１，１，２，３，４，５，５，５−ノナフルオロ−４−（トリフルオロメチル）−２−ペンテン（（ＣＦ3）2ＣＦＣＦ＝ＣＦＣＦ3）、１，１，１，４，４，５，５，５−オクタフルオロ−２−（トリフルオロメチル）−２−ペンテン（（ＣＦ3）2Ｃ＝ＣＨＣ2Ｆ5）、１，１，１，３，４，５，５，５−オクタフルオロ−４−（トリフルオロメチル）−２−ペンテン（（ＣＦ3）2ＣＦＣＦ＝ＣＨＣＦ3）、３，３，４，４，５，５，６，６，６−ノナフルオロ−１−ヘキセン（ＣＦ3ＣＦ2ＣＦ2ＣＦ2ＣＨ＝ＣＨ2）、４，４，４−トリフルオロ−３，３−ビス（トリフルオロメチル）−１−ブテン（ＣＨ2＝ＣＨＣ（ＣＦ3）3）、１，１，１，４，４，４−ヘキサフルオロ−３−メチル−２−（トリフルオロメチル）−２−ブテン（（ＣＦ3）2Ｃ＝Ｃ（ＣＨ3）（ＣＦ3））、２，３，３，５，５，５−ヘキサフルオロ−４−（トリフルオロメチル）−１−ペンテン（ＣＨ2＝ＣＦＣＦ2ＣＨ（ＣＦ3）2）、１，１，１，２，４，４，５，５，５−ノナフルオロ−３−メチル−２−ペンテン（ＣＦ3ＣＦ＝Ｃ（ＣＨ3）ＣＦ2ＣＦ3）、１，１，１，５，５，５−ヘキサフルオロ−４−（トリフルオロメチル）−２−ペンテン（ＣＦ3ＣＨ＝ＣＨＣＨ（ＣＦ3）2）、３，４，４，５，５，６，６，６−オクタフルオロ−２−ヘキセン（ＣＦ3ＣＦ2ＣＦ2ＣＦ＝ＣＨＣＨ3）、３，３，４，４，５，５，６，６−オクタフルオロ１−ヘキセン（ＣＨ2＝ＣＨＣＦ2ＣＦ2ＣＦ2ＣＨＦ2）、１，１，１，４，４−ペンタフルオロ−２−（トリフルオロメチル）−２−ペンテン（（ＣＦ3）2Ｃ＝ＣＨＣＦ2ＣＨ3）、４，４，５，５，５−ペンタフルオロ−２−（トリフルオロメチル）−１−ペンテン（ＣＨ2＝Ｃ（ＣＦ3）ＣＨ2Ｃ2Ｆ5）、３，３，４，４，５，５，５−ヘプタフルオロ−２−メチル−１−ペンテン（ＣＦ3ＣＦ2ＣＦ2Ｃ（ＣＨ3）＝ＣＨ2）、４，４，５，５，６，６，６−ヘプタフルオロ−２−ヘキセン（ＣＦ3ＣＦ2ＣＦ2ＣＨ＝ＣＨＣＨ3）、４，４，５，５，６，６，６−ヘプタフルオロ−１−ヘキセン（ＣＨ2＝ＣＨＣＨ2ＣＦ2Ｃ2Ｆ5）、１，１，１，２，２，３，４−ヘプタフルオロ−３−ヘキセン（ＣＦ3ＣＦ2ＣＦ＝ＣＦＣ2Ｈ5）、４，５，５，５−テトラフルオロ−４−（トリフルオロメチル）−１−ペンテン（ＣＨ2＝ＣＨＣＨ2ＣＦ（ＣＦ3）2）、１，１，１，２，５，５，５−ヘプタフルオロ−４−メチル−２−ペンテン（ＣＦ3ＣＦ＝ＣＨＣＨ（ＣＦ3）（ＣＨ3））、１，１，１，３−テトラフルオロ−２−（トリフルオロメチル）−２−ペンテン（（ＣＦ3）2Ｃ＝ＣＦＣ2Ｈ5）、１，１，１，２，３，４，４，５，５，６，６，７，７，７−テトラデカフルオロ−２−ヘプテン（ＣＦ3ＣＦ＝ＣＦＣＦ2ＣＦ2Ｃ2Ｆ5）、１，１，１，２，２，３，４���５，５，６，６，７，７，７−テトラデカフルオロ−３−ヘプテン（ＣＦ3ＣＦ2ＣＦ＝ＣＦＣＦ2Ｃ2Ｆ5）、１，１，１，３，４，４，５，５，６，６，７，７，７−トリデカフルオロ−２−ヘプテン（ＣＦ3ＣＨ＝ＣＦＣＦ2ＣＦ2Ｃ2Ｆ5）、１，１，１，２，４，４，５，５，６，６，７，７，７−トリデカフルオロ−２−ヘプテン（ＣＦ3ＣＦ＝ＣＨＣＦ2ＣＦ2Ｃ2Ｆ5）、１，１，１，２，２，４，５，５，６，６，７，７，７−トリデカフルオロ−３−ヘプテン（ＣＦ3ＣＦ2ＣＨ＝ＣＦＣＦ2Ｃ2Ｆ5）および１，１，１，２，２，３，５，５，６，６，７，７，７−トリデカフルオロ−３−ヘプテン（ＣＦ3ＣＦ2ＣＦ＝ＣＨＣＦ2Ｃ2Ｆ5）からなる群から選択されるフルオロオレフィンからなる群から選択される少なくとも１つのヒドロフルオロカーボンまたはフルオロカーボンを含む、［５］に記載の吸収パワーサイクルシステム。
［８］  前記フルオロオレフィンが、１，１，１，４，４，４−ヘキサフルオロブタ−２−エン、１，１，１，４，４，５，５，５−オクタフルオロペンタ−２−エン、１，１，１，４，４，５，５，６，６，６−デカフルオロヘキサ−２−エン、１，１，１，４，５，５，５−ヘプタフルオロ−４−（トリフルオロメチル）ペンタ−２−エン、１，１，１，２，２，５，５，６，６，６−デカフルオロヘキサ−３−エン、１，１，１，４，４，５，５，６，６，７，７，７−ドデカフルオロヘプタ−２−エン、１，１，１，４，４，５，６，６，６−ノナフルオロ−５−（トリフルオロメチル）ヘキサ−２−エン、１，１，１，４，５，５，６，６，６−ノンフルオロ−４−（トリフルオロメチル）ヘキサ−２−エン、１，１，１，５，５，５−ヘキサフルオロ−４，４−ビス（トリフルオロメチル）ペンタ−２−エン、１，１，１，２，２，５，５，６，６，７，７，７−ドデカフルオロヘプタ−３−エン、１，１，１，２，２，５，６，６，６−ノナフルオロ−５−（トリフルオロメチル）ヘキサ−３−エン、１，１，１，４，４，５，５，６，６，７，７，８，８，８−テトラデカフルオロオクタ−２−エン、１，１，１，４，４，５，５，６，７，７，７−ウンデカフルオロ−６−（トリフルオロメチル）ヘプタ−２−エン、１，１，１，５，５，６，６，６−オクタフルオロ−４，４−ビス（トリフルオロメチル）ヘキサ−２−エン、１，１，１，２，２，５，５，６，６，７，７，８，８，８−テトラデカフルオロオクタ−３−エン、１，１，１，２，２，５，５，６，７，７，７−ウンデカフルオロ−６−（トリフルオロメチル）ヘプタ−３−エン、１，１，１，２，２，５，６，６，７，７，７−ウンデカフルオロ−５−（トリフルオロメチル）ヘプタ−３−エン、１，１，１，２，２，６，６，６−オクタフルオロ−５，５−ビス（トリフルオロメチル）ヘキサ−３−エン、１，１，１，２，２，３，３，６，６，７，７，８，８，８−テトラデカフルオロオクタ−４−エン、１，１，１，２，５，６，６，６−オクタフルオロ−２，５−ビス（トリフルオロメチル）ヘキサ−３−エン、１，１，１，２，５，５，６，６，７，７，７−ウンデカフルオロ−２−（トリフルオロメチル）ヘプタ−３−エン、１，１，１，４，４，５，５，６，６，７，７，８，８，９，９，９−ヘキサデカフルオロノナ−２−エン、１，１，１，４，５，５，６，６，７，７，８，８，８−トリデカフルオロ−４−（トリフルオロメチル）ヘプタ−２−エン、１，１，１，６，６，６−オクタフルオロ−４，４−ビス（トリフルオロメチル）ヘプタ−２−エン、１，１，１，２，２，５，５，６，６，７，７，８，８，９，９，９−ヘキサデカフルオロノナ−３−エン、１，１，１，２，２，５，５，６，６，７，８，８，８−トリデカフルオロ−７−（トリフルオロメチル）オクタ−３−エン、１，１，１，２，２，６，６，７，７，７−デカフルオロ−５，５−ビス（トリフルオロメチル）ヘプタ−３−エン、１，１，１，２，２，３，３，６，６，７，７，８，８，９，９，９−ヘキサデカフルオロノナ−４−エン、１，１，１，２，２，３，３，６，６，７，８，８，８−トリデカフルオロ−７−（トリフルオロメチル）���クタ−４−エン、１，１，１，２，２，３，３，６，７，７，８，８，８−トリデカフルオロ−６−（トリフルオロメチル）オクタ−４−エン、１，１，１，５，５，６，６，７，７，７−デカフルオロ−２，２−ビス（トリフルオロメチル）ヘプタ−３−エン、１，１，１，２，５，５，６，６，７，７，８，８，８−トリデカフルオロ−２（トリフルオロメチル）オクタ−３−エン、１，１，１，２，５，５，６，７，７，７−デカフルオロ−２，６−ビス（トリフルオロメチル）ヘプタ−３−エン、１，１，１，２，５，６，６，７，７，７−デカフルオロ−２，５−ビス（トリフルオロメチル）ヘプタ−３−エン、１，１，１，２，６，６，６−ヘプタフルオロ−２，５，５−トリス（トリフルオロメチル）ヘキサ−３−エン、１，１，１，２，２，５，５，６，６，７，７，８，８，９，９，１０，１０，１０−オクタデカフルオロデカ−３−エン、１，１，１，２，２，５，６，６，７，７，８，８，９，９，９−ペンタデカフルオロ−５−（トリフルオロメチル）ノナ−３−エン、１，１，１，２，２，６，６，７，７，８，８，８−ドデカフルオロ−５，５−ビス（トリフルオロメチル）オクタ−３−エン、１，１，１，２，２，３，３，６，６，７，７，８，８，９，９，１０，１０，１０−オクタデカフルオロデカ−４−エン、１，１，１，２，２，３，３，６，６，７，７，８，９，９，９−ペンタデカフルオロ−８−（トリフルオロメチル）ノナ−４−エン、１，１，１，２，２，３，３，７，７，８，８，８−ドデカフルオロ−６，６−ビス（トリフルオロメチル）オクタ−４−エン、１，１，１，２，５，５，６，６，７，７，８，８，９，９，９−ペンタデカフルオロ−２−（トリフルオロメチル）ノナ−３−エン、１，１，１，２，５，５，６，６，７，８，８，８−ドデカフルオロ−２，７−ビス（トリフルオロメチル）オクタ−３−エン、１，１，１，２，６，６，７，７，７−ノナフルオロ−２，５，５−トリス（トリフルオロメチル）ヘプタ−３−エン、１，１，１，２，２，３，３，４，４，７，７，８，８，９，９，１０，１０，１０−オクタデカフルオロデカ−５−エン、１，１，１，２，３，３，６，６，７，７，８，８，９，９，９−ペンタデカフルオロ−２−（トリフルオロメチル）ノナ−４−エン、１，１，１，２，２，３，６，６，７，７，８，８，９，９，９−ペンタデカフルオロ−３−（トリフルオロメチル）ノナ−４−エン、１，１，１，５，５，６，６，７，７，８，８，８−ドデカフルオロ−２，２，−ビス（トリフルオロメチル）オクタ−３−エン、１，１，１，２，３，３，６，６，７，８，８，８−ドデカフルオロ−２，７−ビス（トリフルオロメチル）オクタ−４−エン、１，１，１，２，３，３，６，７，７，８，８，８−ドデカフルオロ−２，６−ビス（トリフルオロメチル）オクタ−４−エン、１，１，１，５，５，６，７，７，７−ノナフルオロ−２，２，６−トリス（トリフルオロメチル）ヘプタ−３−エン、１，１，１，２，２，３，６，７，７，８，８，８−ドデカフルオロ−３，６−ビス（トリフルオロメチル）オクタ−４−エン、１，１，１，２，２，３，６，７，７，８，８，８−ドデカフルオロ−３，６−ビス（トリフルオロ���チル）オクタ−４−エン、１，１，１，５，６，６，７，７，７−ノナフルオロ−２，２，５−トリス（トリフルオロメチル）ヘプタ−３−エンおよび１，１，１，６，６，６−ヘキサフルオロ−２，２，５，５−テトラキス（トリフルオロメチル）ヘキサ−３−エンからなる群から選択される、［７］に記載の吸収パワーサイクルシステム。
［９］  前記フルオロオレフィンが、１，２，３，３，４，４−ヘキサフルオロシクロブテン、３，３，４，４−テトラフルオロシクロブテン、３，３，４，４，５，５，−ヘキサフルオロシクロペンテン、１，２，３，３，４，４，５，５−オクタフルオロシクロペンテンおよび１，２，３，３，４，４，５，５，６，６−デカフルオロシクロヘキセンからなる群から選択される、［７］に記載の吸収パワーサイクルシステム。
［１０］  前記作動流体が、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）、フルオロエタン（ＨＦＣ−１６１）、１，１，１，３，３−ペンタフルオロプロパン（ＨＦＣ−２４５ｆａ）、１，１，１，３，３，３−ヘキサフルオロプロパン（ＨＦＣ−２３６ｆａ）、１，１，１，２，３，３，３−ヘプタフルオロプロパン（ＨＦＣ−２２７ｅａ）、１，１，１，３，３−ペンタフルオロブタン（ＨＦＣ−３６５ｍｆｃ）、１，１，１，２，３，４，４，５，５，５−デカフルオロペンタン（ＨＦＣ−４３−１０ｍｅｅ）、１，１，１，２，２，３，４，５，５，６，６，７，７，７−テトラデカフルオロヘプタン（ＨＦＣ−６３−１４ｍｃｅｅ）、２，３，３，３−テトラフルオロプロペン（ＨＦＯ−１２３４ｙｆ）、１，３，３，３−テトラフルオロプロペン（ＨＦＯ−１２３４ｚｅ）、１，２，３，３−テトラフルオロプロペン（ＨＦＯ−１２３４ｙｅ）、３，３，３−トリフルオロプロペン（ＨＦＯ−１２４３ｚｆ）、１，２，３，３，３−ペンタフルオロプロペン（ＨＦＯ−１２２５ｙｅ）、１，１，１，３，３−ペンタフルオロプロペン（ＨＦＯ−１２２５ｚｃ）、１，１，１，２，２，４，５，５，６，６，７，７，７−トリデカフルオロ−３−ヘプテン（ＨＦＯ−１６２−１３ｍｃｚｙ）および１，１，１，２，２，３，５，５，６，６，７，７，７−トリデカフルオロ−３−ヘプテン（ＨＦＯ−１６２−１３ｍｃｙｚ）、ジクロロジフルオロメタン（ＣＦＣ−１２）、フルオロトリクロロメタン（ＣＦＣ−１１）、１，１，２−トリクロロ−１，２，２−トリフルオロエタン（ＣＦＣ−１１３）、１，２−ジクロロ−１，１，２，２−テトラフルオロエタン（ＣＦＣ−１１４）、クロロジフルオロメタン（ＨＣＦＣ−２２）、２−クロロ−３，３，３−トリフルオロプロペン（ＨＣＦＯ−１２３３ｘｆ）、１−クロロ−３，３，３−トリフルオロプロペン（ＨＣＦＯ−１２３３ｚｄ）、パーフルオロメタン（ＦＣ−１４）、パーフルオロエタン（ＦＣ−１１６）、パーフルオロプロパン（ＦＣ−２１８）、パーフルオロシクロブタン（ＦＣ−Ｃ３１８）、オクタフルオロ−２−ブテン（ＦＯ−１３１８ｍｙ）、メタン、エタン、エチレン、プロパン、シクロプロパン、プロピレン、ｎ−ブタン、ブタン、イソブタン、シクロブタン、ｎ−ペンタン、イソペンタン、ｎ−ヘキサン、シクロヘキサン、ｎ−ヘプタン、窒素（Ｎ2）、酸素（Ｏ2）、二酸化炭素（ＣＯ2）、アンモニア（ＮＨ3）、アルゴン（Ａｒ）、水素（Ｈ2）およびこれらの混合物からなる群から選択される少なくとも１つの作動流体を含む、［５］に記載の吸収パワーサイクルシステム。
［１１］  前記発電機発生器と前記第１の熱交換器の間、および前記第１の熱交換器と前記吸収器の間に、前記吸収剤と作動流体との混合物を、前記吸収器に戻して再循環するための再循環ラインをさらに含む、［１］に記載の吸収パワーサイクルシステム。
［１２］  前記作動流体が、２−クロロ−３，３，３−トリフルオロプロペン、シス−またはトランス−１−クロロ−３，３，３−トリフルオロプロペン、３，４，４，４−テトラフルオロ−３−トリフルオロメチル−１−ブテン、シス−またはトランス−１，１，１，４，４，５，５，５−オクタフルオロ−２−ペンテンおよびこれらの組み合わせからなる群から選択される少なくとも１つの作動流体を含む、［１］に記載の吸収パワーサイクルシステム。
［１３］  前記作動流体が、
約５１重量パーセント〜約７０重量パーセントのシス−ＨＦＯ−１３３６ｍｚｚおよび約４９重量パーセント〜約３０重量パーセントのイソペンタン、
約６２重量パーセント〜約７８重量パーセントのシス−ＨＦＯ−１３３６ｍｚｚおよび約３８重量パーセント〜約２２重量パーセントのｎ−ペンタン、
約７５重量パーセント〜約８８重量パーセントのシス−ＨＦＯ−１３３６ｍｚｚおよび約２５重量パーセント〜約１２重量パーセントのシクロペンタン、
約２５重量パーセント〜約３５重量パーセントのシス−ＨＦＯ−１３３６ｍｚｚおよび約７５重量パーセント〜約６５重量パーセントのＨＣＦＣ−１２３、
約６７重量パーセント〜約８７重量パーセントのシス−ＨＦＯ−１３３６ｍｚｚおよび約３３重量パーセント〜約１３重量パーセントのトランス−１，２−ジクロロエチレン、ならびに
約６１重量パーセント〜約７８重量パーセントのトランス−ＨＦＯ−１４３８ｍｚｚおよび約３９重量パーセント〜約２２重量パーセントのイソペンタン
からなる群から選択される少なくとも１つの共沸または共沸様組成物を含む、［１］に記載の吸収パワーサイクルシステム。
［１４］  （ａ）吸収器において吸収剤／作動流体混合物を形成する工程と、
（ｂ）前記吸収剤／作動流体混合物を加熱して、作動流体蒸気を放出する工程と、
（ｃ）前記作動流体蒸気を機械仕事を生じさせるためのデバイスに送る工程と、
（ｄ）前記加熱された吸収剤／作動流体混合物を改良再形成する工程と
を含む機械仕事を生じさせる方法。
［１５］  工程（ｃ）と（ｄ）の間に、
（ｃ−ｉ）凝縮器において前記作動流体を凝縮する工程と、
（ｃ−ｉｉ）膨張デバイスにおいて前記作動流体を部分的に蒸発させる工程と、
（ｃ−ｉｉｉ）蒸発器において前記作動流体を完全に蒸発させて、冷却を行う工程と
をさらに含む、［１４］に記載の方法。
［１６］  工程（ｃ）と（ｄ）の間に、
（ｃ−ｉ）凝縮器において前記作動流体を凝縮して熱を生成する工程と、
（ｃ−ｉｉ）膨張デバイスにおいて前記作動流体を部分的に蒸発させる工程と、
（ｃ−ｉｉｉ）蒸発器において前記作動流体を完全に蒸発させる工程と
をさらに含む、［１４］に記載の方法。
［１７］  工程（ｃ）と（ｄ）の間に、冷却するストリームからの熱を第２の熱交換器で吸収して、前記冷却するストリームを冷却する工程をさらに含む、［１４］に記載の方法。